(57)【要約】【課題】チャックの姿勢を正しく保つとともに、正確な位置でチャックを保持することができるシート材固定装置、およびドラム型露光装置を提供することを目的とする。【解決手段】上面に複数の窪みが設けられたチャックと、各窪みにそれぞれ相応する複数の突起を有するチャック保持機とを備える。各窪みに相応する各突起を嵌入させて、突起の外壁と窪みの内壁とをそれぞれ接触させることにより、チャックをチャック保持部に固定させる。チャックを正しい位置で保持することにより、チャックで原版の正しい位置で挟み込んで、原版をドラムに固定することができる。【選択図】        図６
2004262638.tif 000002
【特許請求の範囲】
【請求項１】
シート材を周面に巻き付けて回転するドラム上に着脱可能な、該シート材を該ドラムとの間に挟み込んで該ドラム上に固定されることにより該シート材を該ドラム上に固定する、該シート材と接触する底面に対する上面に複数の窪みが設けられたチャックと、
前記複数の窪みそれぞれに相応する複数の突起、および前記チャックを引き付けて保持する保持具を備え、前記突起を該突起に相応する窪みに嵌入させて該突起の外壁と該窪みの内壁とを接触させるとともに前記保持具で該チャックを引き付けることによって、該チャックを前記ドラムの周面と距離を置いた待機位置に保持し、保持したチャックを該待機位置から前記ドラム上に移動させて該チャックを該ドラム上に固定するチャック保持機とを備えたことを特徴とするシート材固定装置。
【請求項２】
前記チャックが、前記複数の窪みとして、内壁が円錐形状をなす円錐窪みと、内壁の断面がＶ字形状をなすＶ字溝とを少なくとも１組設けられたものであることを特徴とする請求項１記載のシート材固定装置。
【請求項３】
シート材を周面に巻き付けて回転するドラム上に着脱可能な、該シート材を該ドラムとの間に挟み込んで該ドラム上に固定されることにより該シート材を該ドラム上に固定する、該シート材と接触する底面に対する上面に、開口が細くて内部が広がった穴を有するチャックと、
前記穴の開口よりも細い棒状の底棒部および該底棒部の両端の間から伸びる柄部からなる保持具を有し、該保持具の底棒部を前記穴の開口から挿入して内部で回動させることにより該底棒部の両端を該穴の内部に引っかけ、該保持具の柄部を引いて前記チャックを引き付けることによって該チャックを前記ドラムの周面と距離を置いた待機位置に保持し、保持したチャックを該待機位置から前記ドラム上に移動させて該チャックを該ドラム上に固定するチャック保持機とを備えたことを特徴とするシート材固定装置。
【請求項４】
シート状の感光材料を巻き付けたドラムを回転させるとともに、前記ドラム上の感光材料を光で照射して該感光材料を露光するドラム型露光装置において、
前記ドラム上に着脱可能な、前記感光材料を該ドラムとの間に挟み込んで該ドラム上に固定されることにより該感光材料を該ドラム上に固定する、該感光材料と接触する底面に対する上面に複数の窪みが設けられたチャックと、
前記複数の窪みそれぞれに相応する複数の突起、および前記チャックを引き付けて保持する保持具を備え、前記突起を該突起に相応する窪みに嵌入させて該突起の外壁と該窪みの内壁とを接触させるとともに前記保持具で該チャックを引き付けることによって、該チャックを前記ドラムの周面と距離を置いた待機位置に保持し、保持したチャックを該待機位置から前記ドラム上に移動させて該チャックを該ドラム上に固定するチャック保持機とを備えたことを特徴とするドラム型露光装置。
【請求項５】
シート状の感光材料を巻き付けたドラムを回転させるとともに、前記ドラム上の感光材料を光で照射して該感光材料を露光するドラム型露光装置において、
前記ドラム上に着脱可能な、前記感光材料を該ドラムとの間に挟み込んで該ドラム上に固定されることにより該感光材料を該ドラム上に固定する、該感光材料と接触する底面に対する上面に、開口が細くて内部が広がった穴を有するチャックと、
前記穴の開口よりも細い棒状の底棒部および該底棒部の両端の間から伸びる柄部からなる保持具を有し、該保持具の底棒部を前記穴の開口から挿入して内部で回動させ、該保持具の柄部を引いて前記チャックを引き付けることによって該チャックを前記ドラムの周面と距離を置いた待機位置に保持し、保持したチャックを該待機位置から前記ドラム上に移動させて該チャックを該ドラム上に固定するチャック保持機とを備えたことを特徴とするドラム型露光装置。
【発明の詳細な説明】
【０００１】
【発明の属する技術分野】
本発明は、ドラムに巻きつけられたシート材をドラムとの間に挟み込んで、シート材をドラム上に固定するシート材固定装置、および回転するドラムに巻きつけたシート状の感光材料を露光するドラム型露光装置に関する。
【０００２】
【従来の技術】
従来、印刷の分野においては、ＰＳ版（Ｐｒｅｓｅｎｓｉｔｉｚｅｄ  Ｐｌａｔｅ）とよばれる、アルミニウムなどの薄板上に親水層と感光層とが順に重ねられた原版をドラムに巻き付け、ドラムを回転させながら原版を露光するドラム型露光装置が広範に用いられている。このドラム型露光装置は、ワークステーションなどから、印刷画像を構成するＣＭＹＫ４色の各色版画像を表す各色用の画像データを取得し、各画像データに基づいた光ビームを原版にそれぞれ照射することにより、ＣＭＹＫ各色用の原版を露光する。露光された各原版は、さらに、現像装置に装着されて現像が行われ、各原版上の光ビームが照射された部分（各色版画像に相当する部分）のみ感光層が残り、それ以外の部分は感光層が除去されて親水層が露出した印刷版が生成される。これらの印刷版は印刷機に装着されて、印刷版の親水層が油性のインクをはじくことで印刷版の感光層にのみインクが塗布され、各色版画像が１版ずつ重ね合わさるように印刷されて印刷画像が形成される。
【０００３】
ところで、ドラム型露光装置においては、ドラムが回転しているときに原版がずれるのを防ぐために、原版をドラム上に固定する機構が必要となる。この機構のひとつとして、ドラムとの間に原版を挟みこんでドラム上に着脱可能に固定されるチャックと、チャックをドラムに着脱するチャック着脱手段とを備えた原版固定装置が知られている（例えば特許文献１参照）。
【０００４】
図１は、チャックとチャック着脱手段とを備えた原版固定装置を示す図である。図１の原版固定装置１０は、チャック１１とチャック着脱機構１２とで構成されている。チャック１１には、入口が狭くて内部が広い穴１３と、チャック１１を貫通するコマ１４が備えられている。また、チャック着脱機構１２には、Ｌ字形状を有し、チャック１１の穴１３に挿入されて回動することにより、底棒１５ａでチャック１１を引っ掛けて保持するロックレバー１５と、チャック１１のコマ１４を銜えるソケット１６が備えられている。チャック１１およびチャック着脱機構１２は、チャック１１の穴１３にロックレバー１５の底１５ａが引っ掛けられ、さらに、コマ１４がソケット１６によって銜えられて、ドラムの周面から所定程度離れた待機位置に配置されている。センサなどで原版の端が検知されると、チャック着脱機構１２は、チャック１１を保持したまま原版の端に向けて移動する。ドラムには、周面に沿って溝が刻まれており、チャック着脱機構１２は、ドラムとチャック１１との間に原版の端を挟み込んで、チャック１１のコマ１４をドラムの溝にはめ込み、チャック１１をドラム上に装着する。チャック１１がドラムに装着されると、チャック着脱機構１２は、ロックレバー１５を回動して底１５ａをチャック１１の穴１３から抜き、ソケット１６をコマ１４からはずして、チャック１１をドラム上に残したまま元の待機位置に戻る。原版の露光が終了すると、チャック着脱機構１２はドラム上のチャック１１に向けて移動し、上記とは逆の動作を行ってチャック１１をドラムからはずし、チャック１１を保持したまま待機位置に戻る。原版固定装置１０のようにチャックがドラム上に着脱可能な原版固定装置を用いると、原版がドラム上のどの位置に巻きついていても原版をドラムに固定することができ、例えば、数種のサイズの原版が混合して使用される場合などにも、この原版固定装置を適用することができる。
【０００５】
【特許文献１】
特開２００２−４６８９０号公報
【０００６】
【発明が解決しようとする課題】
ここで、図１に示すロックレバー１５の底１５ａと穴１３、およびソケット１６とコマ１４は、部品ごとの大きさの誤差を吸収するために、それぞれが正確に一致する大きさではなく、部品間に若干の隙間を持たせた大きさに設計されている。この部品間の隙間により、チャック着脱機構１２がチャック１１を正しく保持していても、チャック１１の姿勢が保たれずにチャック１１ががたついてしまい、チャック１１で原版を挟み込む際に原版をたるませてしまったり、チャック１１がドラム上に正しく装着されたことを検知するセンサが反応せず、露光処理が中断されてしまうなどという恐れがある。さらに、上記の部品間の隙間のため、チャック着脱機構１２は、前後・左右・斜めにずれた位置でチャック１１を保持してしまう恐れがある。チャック１１が正確な位置で保持されていない場合に、そのままチャック１１がドラム上に装着されると、原版を正しい位置で挟み込むことができず、チャック１１が原版を挟み込むのに最小限必要な銜え代の他に無駄な銜え代が必要となってしまう。原版上の銜え代の領域は、露光できずに無駄になる領域であるが、近年では、露光可能な領域を増加させて原版を効率的に利用したいという要望が高まっている。
【０００７】
また、上記のように、チャックの姿勢が正しく保たれずにチャックががたついてしまったり、チャックが正確な位置で保持されないなどという問題は、ドラム型露光装置だけに限らず、ドラム上に着脱可能に装着されるチャックによって、薄板などのシート材をドラム上に固定するシート材固定装置を備えた装置全般に共通する問題である。
【０００８】
本発明は上記事情に鑑み、チャックの姿勢を正しく保つとともに、正確な位置でチャックを保持することができるシート材固定装置、およびドラム型露光装置を提供することを目的とする。
【０００９】
【課題を解決するための手段】
本発明の第１のシート材固定装置は、
シート材を周面に巻き付けて回転するドラム上に着脱可能な、シート材をドラムとの間に挟み込んでドラム上に固定されることによりシート材をドラム上に固定する、シート材と接触する底面に対する上面に複数の窪みが設けられたチャックと、
上記の複数の窪みそれぞれに相応する複数の突起、およびチャックを引き付けて保持する保持具を備え、突起をその突起に相応する窪みに嵌入させて突起の外壁と窪みの内壁とを接触させるとともに保持具でチャックを引き付けることによって、チャックをドラムの周面と距離を置いた待機位置に保持し、保持したチャックを待機位置からドラム上に移動させてチャックをドラム上に固定するチャック保持機とを備えたことを特徴とする。
【００１０】
本発明の第１のシート材固定装置は、チャックの上面に複数の窪みが設けられており、そのチャックを保持するチャック保持機に、チャックの各窪みにそれぞれ相応する複数の突起が備えられている。各突起を相応する窪みにそれぞれ嵌入させて、突起の外壁と窪みの内壁とを接触させることにより、チャック保持機に対してチャックの位置が正しく固定される。したがって、チャック保持機が正確な位置でチャックを保持することができ、原版上の正しい位置をチャックで挟み込むことができる。
【００１１】
尚、本発明の第１のシート材固定装置における保持具は、例えばチャックをフックのように引っかけて引き付けることにより保持するものであってもよく、あるいは磁力などによってチャックを保持具に引き付けて保持するものであってもよく、チャックを保持する方法は問わない。また、本発明の第１のシート材固定装置における保持具は、チャックを保持具に接触させてから、突起の外壁と窪みの内壁を接触させてチャックの位置を正しい位置に修正するものであってもよく、逆に、突起の外壁と窪みの内壁を接触させてチャックの位置を正しい位置に固定した後に、チャックを保持具に接触させて引き付けるものであってもよい。
【００１２】
また、本発明の第１のシート材固定装置において、
上記のチャックが、複数の窪みとして、内壁が円錐形状をなす円錐窪みと、内壁の断面がＶ字形状をなすＶ字溝とを少なくとも１組設けられたものであることが好ましい。
【００１３】
嵌入された突起の位置を一意に決定する円錐窪みと、嵌入された突起が一方向に自由度を有するＶ字溝とを組み合わせて備えることにより、窪みに突起が嵌入される際に突起の位置が多少ずれてしまっていても、その誤差を吸収してチャックをチャック保持機に正しく固定することができる。
【００１４】
また、本発明の第２のシート材固定装置は、
シート材を周面に巻き付けて回転するドラム上に着脱可能な、シート材をドラムとの間に挟み込んでドラム上に固定されることによりシート材をドラム上に固定する、シート材と接触する底面に対する上面に、開口が細くて内部が広がった穴を有するチャックと、
穴の開口よりも細い棒状の底棒部および底棒部の両端の間から伸びる柄部からなる保持具を有し、保持具の底棒部を穴の開口から挿入して内部で回動させることにより底棒部の両端を穴の内部に引っかけ、保持具の柄部を引いてチャックを引き付けることによってチャックをドラムの周面と距離を置いた待機位置に保持し、保持したチャックを待機位置からドラム上に移動させてチャックをドラム上に固定するチャック保持機とを備えたことを特徴とする。
【００１５】
本発明の第２のシート材固定装置は、チャックの上面に開口が細くて内部が広がった穴が設けられており、そのチャックを保持するチャック保持機に、柄部と底棒部とからなる保持具を備えている。この保持具は縦方向の断面がＴ字形状を有し、底棒部がチャックの穴に挿入されて内部で回動されることにより、底棒部の両端が穴の開口に引っかけられる。この状態で柄部を引くことによって、チャックをチャック保持機にがたつかないように固定することができ、原版をたるませることなくドラムに固定することができる。
【００１６】
尚、上記「柄部を引いて」とは、「柄部を通してチャックを引っ張る力が伝わる」という意味であり、本発明の第２のシート材固定装置は、底棒部でチャックを引っかけた状態で、柄部の長さを伸縮させることによりチャックをチャック保持機に引き付けるものであってもよく、柄部の長さが固定長で、チャック保持機全体を移動させることにより、チャックをチャック保持機に引き付けるものであってもよい。
【００１７】
また、本発明の第１のドラム型露光装置は、
シート状の感光材料を巻き付けたドラムを回転させるとともに、ドラム上の感光材料を光で照射して感光材料を露光するドラム型露光装置において、
ドラム上に着脱可能な、感光材料をドラムとの間に挟み込んでドラム上に固定されることにより感光材料をドラム上に固定する、感光材料と接触する底面に対する上面に複数の窪みが設けられたチャックと、
複数の窪みそれぞれに相応する複数の突起、およびチャックを引き付けて保持する保持具を備え、突起をその突起に相応する窪みに嵌入させて突起の外壁と窪みの内壁とを接触させるとともに保持具でチャックを引き付けることによって、チャックをドラムの周面と距離を置いた待機位置に保持し、保持したチャックを待機位置からドラム上に移動させてチャックをドラム上に固定するチャック保持機とを備えたことを特徴とする。
【００１８】
本発明の第１のドラム型露光装置によると、各突起を相応する窪みにそれぞれ嵌入させて突起の外壁と窪みの内壁とを接触させることにより、チャックをチャック保持機に固定して、感光材料上の正しい位置をチャックで挟み込むことができ、無駄な銜え代を必要とせずに、効率的に感光材料を使用することができる。
【００１９】
また、本発明の第２のドラム型露光装置は、
シート状の感光材料を巻き付けたドラムを回転させるとともに、ドラム上の感光材料を光で照射して感光材料を露光するドラム型露光装置において、
ドラム上に着脱可能な、感光材料をドラムとの間に挟み込んでドラム上に固定されることにより感光材料をドラム上に固定する、感光材料と接触する底面に対する上面に、開口が細くて内部が広がった穴を有するチャックと、
穴の開口よりも細い棒状の底棒部および底棒部の両端の間から伸びる柄部からなる保持具を有し、保持具の底棒部を穴の開口から挿入して内部で回動させ、保持具の柄部を引いてチャックを引き付けることによってチャックをドラムの周面と距離を置いた待機位置に保持し、保持したチャックを待機位置からドラム上に移動させてチャックをドラム上に固定するチャック保持機とを備えたことを特徴とする。
【００２０】
本発明の第２のドラム型露光装置によると、上下方向に対してチャックをチャック保持機に固定して、感光材料をたるませずにドラム上に固定することができ、露光の際のピントずれや画像のゆがみなどを防ぐことができる。
【００２１】
【発明の実施の形態】
以下、本発明の実施形態について説明する。
【００２２】
印刷画像を作成する際には、上述したように、ドラム型露光装置において、感光材料が塗布されたシート状の原版が露光される。この原版は、本発明にいうシート材、および感光材料の一例に相当する。露光された原版は現像装置において現像されて印刷版が生成され、さらに、印刷機において印刷版にインクが塗布されて、印刷画像が印刷される。以下では、このドラム型露光装置について説明する。
【００２３】
図２は、本発明の一実施形態が適用されたドラム型露光装置を示す概略構成図である。
【００２４】
ドラム型露光装置２０には、ドラム１００、先端チャック１１０、給排版ユニット２００、後端チャック保持部３００、後端チャック３１０、先端チャック押離部４００、ローラ５００、および露光部６００が備えられている。
【００２５】
ドラム型露光装置２０における本発明の一実施形態としての特徴は、後端チャック保持部３００および後端チャック３１０にあるが、まず、ドラム型露光装置２０の全体の構成について説明する。
【００２６】
ドラム１００は、原版を周面に巻き付けて矢印ｃの方向に回転するドラムである。ドラム１００には、後述する後端チャック３１０を取り付けるために、ドラム１００の周面に沿うように、ドラム１００が回転する方向に延びる溝が設けられている。このドラム１００は、本発明にいうドラムの一例に相当する。
【００２７】
先端チャック１１０は、ドラム１００上の回転軸方向に複数並べて搭載されており、原版の先端を把持して原版をドラム１００に固定する。先端チャック１１０は、先端チャック押離部４００によって押されると、チャックが開いてドラム１００との間に原版を挟み込む隙間を形成し、先端チャック押離部４００が離れるとチャックが閉じてドラム１００との間の隙間を閉じる。
【００２８】
給排版ユニット２００には、原版をドラム１００へ給版する給版ガイド２２０と、原版をドラム１００から排版する排版ガイド２１０とが具備されている。
【００２９】
先端チャック押離部４００は、先端チャック１１０に１対１に相応して並べられた複数の突起４１０を備えている。ドラム１００が回転して先端チャック１１０が先端チャック押離部４００の真下に来ると、先端チャック押離部４００は先端チャック１１０へ向けて移動し、突起４１０は相応する先端チャック１１０を押してチャックを開く。給版ガイド２２０から原版が給版され、原版の先端が先端チャック１１０とドラム１００との間の隙間に装着されると、先端チャック押離部４００は元の位置に移動し、突起４１０は先端チャック１１０を離してチャックを閉じる。
【００３０】
後端チャック保持部３００は、ドラム１００の周面から所定距離ｈだけ離れた位置（以下、この位置を待機位置と称する）に、後端チャック３１０を保持している。この待機位置は、本発明にいう待機位置の一例にあたる。ドラム１００が回転して、ドラム１００に巻きつけられている原版の後端が後端チャック保持部３００の真下に来ると、後端チャック保持部３００はドラム１００に向けて移動し、後端チャック３１０とドラム１００との間に原版の後端を挟みこむようにして、後端チャック３１０をドラム１００上に装着する。この後端チャック３１０は本発明におけるチャックの一例にあたり、後端チャック保持部３００は本発明におけるチャック保持機の一例に相当する。後端チャック保持部３００および後端チャック３１０の構成については、後で詳しく説明する。
【００３１】
ここで、一旦図２の説明を中止し、図３を用いて後端チャック３１０をドラム１００に固定する方法について説明する。
【００３２】
図３は、後端チャックの側面図である。
【００３３】
図３（Ａ）に示すように、後端チャック３１０には、コマ部３１１とチャック部３１２とが備えられている。チャック部３１２は、原版を挟み込む部分であり、コマ部３１１が貫通している。コマ部３１１は、チャック部３１２のうちドラム１００と接触しない面（以下、これを上面と称する）に近い上側が図２に示す後端チャック保持部３００によって保持されており、保持されていない下側の底が楕円形を構成している。また、ドラム１００の溝１２０は、入口ほど狭く奥ほど広い形状をしており、後端チャック保持部３００は、コマ部３１１の下端を、楕円の長径が溝１２０の延びる方向に沿うように溝１２０に嵌入し、さらに、コマ部３１１を９０度回動させる。
【００３４】
図３（Ｂ）は、コマ部３１１を回動させたときの後端チャック３１０を示している。コマ部３１１が回動すると、底の楕円の長径が溝１２０の延びる方向と直交するように配置される。このとき、溝１２０の入口よりも楕円の長径の方が長くなり、コマ部３１１は溝１２０から抜けることのないように固定される。尚、本実施形態においては、コマ部３１１の底は楕円を形成しているが、コマ部の底は楕円形に限らず、例えば長円形や円の一部を削除した形状など、直交する各方向で一方がドラムの溝の入口より長く、一方が溝の入口より短い形状であればよい。
【００３５】
図２および図３に示す後端チャック３１０は、本発明におけるチャックの一例に相当する。
【００３６】
以上で図３の説明を終了し、図２に戻って説明する。
【００３７】
ローラ５００は、原版をドラム１００に巻き付けるときにドラム１００に向けて移動し、原版をドラム１００に密着させるためのローラである。
【００３８】
露光部６００は、ワークステーション（図示しない）などから入力した画像データに基づいた光ビーム群を発射して、その光ビーム群でドラム１００の周面を照射することにより、ドラム１００に巻き付けられた原版を露光する。この露光部６００は、本発明のドラム型露光装置における露光部の一例に相当する。
【００３９】
ドラム型露光装置２０は、基本的には以上のように構成されており、次に、ドラム型露光装置２０に原版を巻き付けて、原版を露光する一連の手順について説明する。
【００４０】
ドラム１００が回転して、先端チャック１１０が先端チャック押離部４００の真下に移動すると、先端チャック押離部４００は先端チャック１１０へ向けて駆動し、各突起４１０が相応する先端チャック１１０を押すことにより先端チャック１１０が開く。
【００４１】
図示しないカセット内に収容された原版は、給排版ユニット２００の給版ガイド２２０によってドラム１００へ給版されて、原版の先端が先端チャック１１０とドラム１００との間に形成された隙間に装着される。原版の先端が正しい位置に装着されると、先端チャック押離部４００は元の位置に移動し、その移動に伴って突起４１０が先端チャック１１０から離れて、先端チャック１１０とドラム１００との間の隙間が閉じる。
【００４２】
原版の先端が先端チャック１１０によって把持されると、ドラム１００は矢印ｃの方向に回転し、ローラ５００はドラム１００との間に原版を挟んで原版をドラム１００に密着させる。また、図示しないセンサによって原版の後端が後端チャック保持部３００の真下に移動したことが検知されると、後端チャック保持部３００は待機位置からドラム１００に向けて移動する。後端チャック保持部３００は、後端チャック３１０のコマ部３１１（図３参照）をドラム１００の溝１２０に嵌入させて９０度回動させることにより、後端チャック３１０をドラム１００上に固定させる。後端チャック３１０がドラム１００に固定されると、後端チャック保持部３００は後端チャック３１０をドラム１００に残して元の待機位置に移動する。原版の後端が後端チャック３１０に把持されると、ローラ５００は元の位置に移動し、ドラム１００は矢印ｃの方向に高速回転する。
【００４３】
ドラム１００が高速回転するのに伴い、露光部６００は、光ビーム群の照射位置を回転軸に沿う方向に移動させながら、光ビーム群をドラム１００へ向けて照射して原版を露光する。
【００４４】
露光が終了すると、原版の後端が後端チャック保持部３００の真下にくるようにドラム１００が回転する。
【００４５】
後端チャック保持部３００は後端チャック３１０に向けて移動して、図２に示すコマ部３１１をドラム１００に固定したときと逆に回動させ、後端チャック３１０をドラム１００から取り外す。
【００４６】
後端チャック３１０が取り外されると、ドラム１００は、先端チャック１１０が先端チャック押離部４００の真下にくるように回転する。先端チャック押離部４００は、先端チャック１１０を開き、原版の先端を開放する。このとき、原版の後端は排版ガイド２１０上に乗っており、排版ガイド２１０が図示しない排版口へ向けて原版を運び、露光処理が終了する。
【００４７】
ここで、後端チャック３１０が原版上の正しい位置を挟み込んでドラム上に装着されるためには、後端チャック保持部３００が後端チャック３１０を正しく保持している必要がある。以下では、本発明の特徴である後端チャック保持部３００および後端チャック３１０について詳しく説明する。
【００４８】
図４は、後端チャック保持部の断面図であり、図５は、図３にも示す後端チャックの正面図である。
【００４９】
図４に示すように、後端チャック保持部３００は、先端が円錐形状を有する２本の位置決めピン３０１、２本の位置決めピン３０１にそれぞれ備えられたバネ３０２、図３および図５に示す後端チャック３１０のコマ部３１１を銜えるソケット３０３、および回動自在なロックレバー３０６を備えている。ロックレバー３０６は、底棒３０５と、底棒３０５の中心から伸びた保持棒３０４とで構成されており、ロックレバー３０６の断面はＴ字形状をなしている。この２本の位置決めピン３０１は、本発明にいう複数の突起の一例に相当し、ロックレバー３０６は、本発明にいう保持具の一例に相当する。さらに、底棒３０５は、本発明にいう底棒部の一例にあたり、保持棒３０４は、本発明にいう柄部の一例に相当する。
【００５０】
後端チャック３１０には、図５に示すように、チャック部３１２の上側の表面に、内壁が円錐形状をなす円錐窪み３１３と、内壁の断面がＶ字形状をなすＶ字溝３１５と、入口が細長くて内側が広がったロックレバー用穴３１４が設けられており、さらに、図３にも示すコマ部３１１がチャック部３１２を貫通している。この円錐窪み３１３は、本発明にいう円錐窪みの一例にあたり、Ｖ字溝３１５は、本発明にいうＶ字溝の一例に相当する。また、円錐窪み３１３とＶ字溝３１５とをあわせたものは、本発明にいう複数の窪みの一例に相当する。
【００５１】
図４の後端チャック保持部３００が待機位置から図３の後端チャック３１０上に移動すると、図４のソケット３０３が図５のコマ部３１１を銜えて、後端チャック３１０は後端チャック保持部３００に固定される。しかし、ソケット３０３とコマ部３１１との間には若干の隙間が備えられており、ソケット３０３とコマ部３１１だけで後端チャック３１０を後端チャック保持部３００に固定しようとすると、後端チャック３１０は正しい位置からずれた位置で固定されてしまう恐れがある。ここで、ソケット３０３でコマ部３１１を銜えるとともに、まず、図４に示す２つの位置決めピン３０１を、図５に示す円錐窪み３１３およびＶ字溝３１５にそれぞれ嵌入する。このとき、各位置決めピン３０１に備えられているバネ３０２によって、２つの位置決めピン３０１は後端チャック３１０の方向に付勢される。この状態で、さらに、ロックレバー３０６の底棒３０５をロックレバー用穴３１４に挿入して底棒３０５を９０度回動し、その後、後端チャック保持部３００全体を待機位置へ待避させると、後端チャック３１０の方向に付勢された２つの位置決めピン３０１によって、ロックレバー３０６の底棒３０５に後端チャック３１０が押し付けられ、後端チャック３１０が後端チャック保持部３００にしっかりと接触して保持される。尚、バネ３０２は、後端チャック３１０が正確な位置からずれた位置に配置されているときに、無理な力が加えられるのを防ぐ役割も兼ねている。
【００５２】
図６は、後端チャック保持部で後端チャックを保持したときの後端チャックおよび後端チャック保持部を示す図である。
【００５３】
後端チャック３１０の円錐窪み３１３およびＶ字溝３１５に、チャック保持部３００の２本の位置決めピン３０１がそれぞれ接触しながら嵌入しており、少なくとも２点の位置を固定しているため、後端チャック３１０とチャック保持部３００は、縦・横・斜めの方向に対して固定されている。また、嵌入された位置決めピン３０１の位置を一意に決定する円錐窪みと、嵌入された位置決めピン３０１が一方向に自由度を有するＶ字溝とを組み合わせて備えることにより、後端チャック３１０が多少ずれた位置に配置されていても、その誤差をＶ字溝３１５と位置決めピン３０１が吸収して、円錐窪み３１３の正しい位置に位置決めピン３０１を嵌入させ、後端チャック３１０を後端チャック３００で正しく保持することができる。このように、後端チャック保持部３０１は、後端チャック３１０を正確な位置に固定して保持するため、後端チャック３１０で原版の正しい位置を挟み込むことができ、原版を効率的に使用することができる。さらに、ロックレバー３０６の底棒３０５が後端チャック３１０のロックレバー用穴３１４に引っかかることによって、後端チャック３１０と後端チャック保持部３００は上下方向（あおり方向）に対しても固定されている。これにより、後端チャック保持部３０１は、後端チャック３１０を正しい姿勢で保持するため、後端チャック３１０で原版をたるませずに挟み込むことができ、露光の際のピントずれや画像のゆがみなどを抑えることができる。
【００５４】
尚、上記では、本発明にいうチャックの一例を、原版の後端を挟み込む後端チャックに適用した例について説明したが、本発明にいうチャックは、原版の先端を挟み込む先端チャックに適用するものであってもよく、あるいは先端チャックおよび後端チャックの両方に適用するものであってもよい。
【００５５】
また、上記説明では、本発明にいう複数の窪みおよび複数の突起の一例として、窪みおよび突起を２つずつ備えた例が示されているが、本発明にいう複数の窪みおよび複数の突起の数は３つ以上であってもよい。
【００５６】
また、上記説明では、本発明にいう突起の一例として、先端が円錐形状を有する突起が示されているが、本発明にいう突起は、例えば、先端が半球状であってもよい。
【００５７】
また、上記説明では、本発明にいう保持具の一例として、底棒部の中心から伸びた柄部を備えた保持具が示されているが、本発明にいう保持具は、柄部が底棒部の中心から伸びているものに限らず、柄部が底棒部の両端の間から伸びているものであればよい。
【００５８】
また、上記説明では、上面に複数の窪みと開口が細くて内部が広がった穴が設けられたチャックと、複数の突起と底棒部および柄部を有する保持具とを備えたチャック保持機とを有するシート材固定装置およびドラム型露光装置について説明したが、本発明にいうチャックおよびチャック保持機は、上面に複数の窪みを有するが本発明にいう穴を備えていないチャックと複数の突起を備えたチャック保持機との組み合わせ、あるいは、開口が細くて内部が広がった穴が設けられているが本発明にいう窪みを備えていないチャックと底棒部および柄部を有する保持具を備えたチャック保持機との組み合わせであってもよい。
【００５９】
さらに、上記では、本発明のシート材固定装置を画像露光装置に適用する例ついて説明したが、このシート材固定装置は、ドラムにシート材を固定して動作する装置であればよく、ドラム型露光装置以外の装置等に適用されてもよい。
【００６０】
【発明の効果】
以上、説明したように、本発明によれば、チャックの姿勢を正しく保つとともに、正確な位置でチャックを保持することができるシート材固定装置、およびドラム型露光装置を提供することができる。
【図面の簡単な説明】
【図１】チャックとチャック着脱手段とを備えた原版固定装置を示す図である。
【図２】本発明の一実施形態が適用されたドラム型露光装置を示す概略構成図である。
【図３】後端チャックの側面図である。
【図４】後端チャック保持部の断面図である。
【図５】図３にも示す後端チャックの正面図である。
【図６】後端チャック保持部で後端チャックを保持したときの後端チャックおよび後端チャック保持部を示す図である。
【符号の説明】
１０    原版固定装置
１１    チャック
１２    チャック着脱機構
１３    穴
１４    コマ
１５    ロックレバー
１５ａ    底
１６    ソケット
２０    ドラム型露光装置
１００    ドラム
１１０    先端チャック
１２０    溝
２００    給排版ユニット
２１０    排版ガイド
２２０    給版ガイド
３００    後端チャック保持機
３０１    位置決めピン
３０２    バネ
３０３    ソケット
３０４    保持棒
３０５    底棒
３０６    ロックレバー
３１０    後端チャック
３１１    コマ部
３１２    チャック部
３１３    円錐窪み
３１４    ロックレバー用穴
３１５    Ｖ字溝
４００    先端チャック押離部
４１０    突起
５００    ローラ
６００    露光部
【図１】
2004262638.tif 000003
【図２】
2004262638.tif 000004
【図３】
2004262638.tif 000005
【図４】
2004262638.tif 000006
【図５】
2004262638.tif 000007
【図６】
2004262638.tif 000008